(57)【要約】【課題】本発明は、モニタ装置の視認性を向上させつつ、カメラの動作時間を延ばすことが可能な外付け用モニタ装置及びカメラのシステムを提供する。【解決手段】本発明の外付け用モニタ装置は、モニタと、デジタルカメラの底面に着脱可能に固定される基台部と、前記モニタと前記基台部とを連結し、前記モニタを前記基台部に対して回動可能に支持する丁番部と、前記基台部に配設され、前記デジタルカメラ及び前記モニタの少なくとも一方に電力を供給する電源電池を収容可能な電源電池室と、を具備する。【選択図】図１
2010026090.tif 000002
【特許請求の範囲】
【請求項１】
モニタと、
デジタルカメラの底面に着脱可能に固定される基台部と、
前記モニタと前記基台部とを連結し、前記モニタを前記基台部に対して回動可能に支持する丁番部と、
前記基台部に配設され、前記デジタルカメラ及び前記モニタの少なくとも一方に電力を供給する電源電池を収容可能な電源電池室と、
を具備することを特徴とした外付け用モニタ装置。
【請求項２】
前記基台部に配設され、前記デジタルカメラに指示命令を入力可能な入力装置を具備することを特徴とする請求項１に記載の外付け用モニタ装置。
【請求項３】
前記基台部と前記電池室とは、分離可能に構成されていることを特徴とする請求項１又は２に記載の外付け用モニタ装置。
【請求項４】
デジタルカメラと、
該デジタルカメラの底面に装着可能であって、モニタと、前記デジタルカメラの底面に着脱可能に固定される基台部と、前記モニタと前記基台部とを連結し前記モニタを前記基台部に対して回動可能に支持する丁番部と、前記基台部に配設され前記デジタルカメラ本体及び前記モニタの少なくとも一方に電力を供給する電源電池を収容可能な電源電池室と、を有してなる外付け用モニタ装置と、
を具備して構成されるカメラのシステム。
【請求項５】
前記カメラは、画像信号を出力する第１の接続端子部を有し、
前記外付け用モニタ装置は、前記カメラに装着された状態において、前記接続端子部から出力された前記画像信号を受け取る第２の接続端子部を有することを特徴とする請求項
４に記載のカメラのシステム。
【発明の詳細な説明】
【技術分野】
【０００１】
本発明は、カメラに着脱可能に構成された外付け用モニタ装置と、該外付け用モニタ装置を具備するカメラのシステムに関する。
【背景技術】
【０００２】
デジタルカメラには、ライブビューや撮影結果の表示を行うモニタ装置をカメラ本体に対して着脱可能とした形態のものが知られている。例えば特開平１１−３３８０３４号公報には、カメラ本体のアクセサリシュー等に着脱可能であり、装着時にはカメラ本体の背面に沿うように配置されるモニタ装置が開示されている。
【特許文献１】特開平１１−３３８０３４号公報
【発明の開示】
【発明が解決しようとする課題】
【０００３】
しかしながら、特開平１１−３３８０３４号公報に開示されているモニタ装置は、その駆動電力をカメラ本体の電源から得ているため、このモニタ装置を装着することによりカメラの動作時間が短くなる、すなわち撮影可能枚数が減じてしまうという問題がある。
【０００４】
また、デジタルカメラのモニタ装置は、視認性を向上させるために表示面の大型化、高輝度化及び高精細化の要望が強いが、モニタ装置を大型化、高輝度化及び高精細化することにより視認性を向上させた場合、モニタ装置の消費電力がさらに増えてしまい、よりデジタルカメラの動作時間が短くなってしまう。
【０００５】
本発明は、上記問題点に鑑みてなされたものであり、モニタ装置の視認性を向上させつつ、カメラの動作時間を延ばすことが可能な外付け用モニタ装置及びカメラのシステムを提供することを目的とする。
【課題を解決するための手段】
【０００６】
本発明に係る外付け用モニタ装置は、モニタと、デジタルカメラの底面に着脱可能に固定される基台部と、前記モニタと前記基台部とを連結し、前記モニタを前記基台部に対して回動可能に支持する丁番部と、前記基台部に配設され、前記デジタルカメラ及び前記モニタの少なくとも一方に電力を供給する電源電池を収容可能な電源電池室と、を具備することを特徴とする。
【０００７】
また、本発明に係るカメラのシステムは、デジタルカメラと、該デジタルカメラの底面に装着可能であって、モニタと、前記デジタルカメラの底面に着脱可能に固定される基台部と、前記モニタと前記基台部とを連結し前記モニタを前記基台部に対して回動可能に支持する丁番部と、前記基台部に配設され前記デジタルカメラ本体及び前記モニタの少なくとも一方に電力を供給する電源電池を収容可能な電源電池室と、を有してなる外付け用モニタ装置と、を具備することを特徴とする。
【発明を実施するための最良の形態】
【０００８】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【０００９】
（第１の実施形態）
以下、本発明の第１の実施形態について図１から図３を参照して説明する。本実施形態は、一般にレンズ交換式のデジタル一眼レフカメラと称されるカメラのシステムに本発明を適用したものである。
【００１０】
図１は、本実施形態のカメラのシステムの外観を示す斜視図である。図２は、カメラボディ部と外付け用モニタ装置部とを分離した状態を示す斜視図である。図３は、カメラのシステムの概略的な構成を示すブロック図である。
【００１１】
本実施形態のカメラのシステムを構成するカメラ１は、図１に示すように、カメラボディ部２と、該カメラボディ部２に着脱可能な撮像レンズ３と、外付け用モニタ装置部１００とを具備して構成される。なお、カメラ１は、カメラボディ部２と撮像レンズ３とが一体に構成された形態であってもよい。
【００１２】
なお、以下の説明において、カメラ１の撮像レンズ３が装着される側、すなわち被写体に向かう方向を前方、その反対の操作者側を後方とし、カメラ１の前方側の面を前面、後方側の面を背面と称する。また、カメラ１を操作者がいわゆる正立状態（横位置）に構えた場合において、カメラ１の鉛直上側を上方、鉛直下側を下方とし、カメラ１の上方側の面を上面、下方側の面を底面と称する。また、カメラ１を正立状態に構えた場合において、背面側から見て右側を右方、左側を左方とする。
【００１３】
カメラ１のカメラボディ部２は、略箱状の外装筐体を有し、その外装面上に、ファインダ１１、画像表示装置１２、及び入力装置２０が配設されている。
【００１４】
ファインダ１１は、一般に光学ファインダと称される形態のものであり、撮像レンズ３により後述するフォーカシングスクリーン上に結像された被写体像を光学的に観察するための装置である。ファインダ１１は、カメラボディ部２の背面の上方に配設されている。
【００１５】
カメラボディ部２の背面上であって、上記ファインダ１１の下方には、モニタ１２が配設されている。モニタ１２は、画像を表示して出力する装置であり、本実施形態では、カラー表示可能な液晶表示パネル及びバックライト装置を具備してなる。
【００１６】
なお、モニタ１２は、有機エレクトロルミネッセンス表示装置や電気泳動表示装置等の他の形式の画像表示装置を具備して構成されてもよい。
【００１７】
カメラ１の撮像動作時には、モニタ１２には、例えば絞り値やシャッタースピード等の撮影条件や、いわゆる電子ファインダやライブビューと称される被写体のリアルタイムの動画像、及び直前の撮像結果等が表示される。また、カメラ１の再生動作時には、モニタ１２には、例えばカメラボディ部２内部の記録媒体に記録されている静止画像や動画像が再生されて表示される。
【００１８】
入力装置２０は、操作者からの指示命令情報を入力するためのものであり、本実施形態では、操作者が撮影タイミングを指示入力するためのシャッタスイッチ２１の他に、カメラ１の動作条件の変更等を指示入力するためのダイヤルスイッチ２２、プッシュスイッチ２３、レバースイッチ２４及び十字スイッチ２５等の複数のスイッチを具備して構成されている。
【００１９】
なお、入力装置２０は上述した形態のみに限られるものではなく、タッチセンサ、感圧スイッチ、モニタ１２の表面に設けられたタッチパネル等であってもよい。
【００２０】
また、図示しないが、カメラボディ部２の底面部には、カメラボディ部２を三脚の雲台等の機材に固定するための雌ネジ部である三脚用ネジ穴が設けられている。
【００２１】
カメラ１の撮像レンズ３は、被写体像を結像するためのレンズ等の光学部材を具備して構成されている。
【００２２】
本実施形態のカメラ１では、カメラボディ部２の底面に、図２に示すように、カメラボディ部２の三脚用ネジ穴に螺合する雄ネジ部１０６を有した外付け用モニタ装置部１００が、着脱自在に固定可能である。該外付け用モニタ装置部１００の詳細については後述する。
【００２３】
上述した外観を有するカメラボディ部２の内部の概略的な構成を説明する。図３のブロック図に示すように、カメラボディ部２は、その内部に、制御装置５０、撮像素子５１、シャッタ５２、クイックリターンミラー３０、記録媒体６０及び電源電池６１等が配設されて構成されている。
【００２４】
制御装置５０は、演算装置、主記憶装置及び入出力回路等を備え、カメラ１の動作を制御するための電気回路装置である。
【００２５】
撮像素子５１は、撮像レンズ３の光軸上に配置され、受光面に入射される光に応じた電気信号を所定のタイミングで出力するものであり、例えば一般にＣＣＤ（電荷結合素子）やＣＭＯＳ（相補型金属酸化膜半導体）センサと称される形式、あるいはその他の各種の形式の撮像素子が適用され得る。
【００２６】
撮像素子５１は、該撮像素子５１を駆動する撮像素子駆動回路５３に電気的に接続されている。また撮像素子５１から出力されたアナログ信号は、デジタル信号に変換されて出力される。
【００２７】
シャッタ５２は、撮像レンズ３の光軸上であって撮像素子５１の前方に配設され詳しくは図示しないが、光軸上に進退可能に配設された複数のシャッタ羽根を所定のタイミングで移動させることによって、撮像素子５１の露光時間を制御する、いわゆるフォーカルプレーンシャッタ装置である。シャッタ５２の動作は、電動モータ、シャッタチャージ機構、及びフォーカルプレーンシャッタの先幕、後幕の走行を制御する電磁石等を具備して構成されるシャッタ駆動機構５４により制御される。
【００２８】
クイックリターンミラー３０は、撮像レンズ３の光軸上に進退可能に配設され、撮像レンズ３から出射された光の光路を切り替える装置である。クイックリターンミラー３０の進退動作は、ミラー駆動機構３４により行われる。
【００２９】
該クイックリターンミラー３０が光軸上から退避した状態では、撮像レンズ３から出射された光束は、後方に配置されたシャッタ５２及び撮像素子５１へ向かう。一方、クイックリターンミラー３０が光軸上に進出した状態では、撮像レンズ３から出射された光束は、ファインダ１１に向かう。
【００３０】
ファインダ１１は、撮像素子５１の受光面と光学的に等価な位置に配置されたフォーカシングスクリーン３１と、フォーカシングスクリーン３１に結像された像を拡大し正立像として拡大し出射する、ペンタプリズム３２及び接眼レンズ３３を具備して構成されている。
【００３１】
また、カメラボディ部２には、カメラ１と外部機器との情報の授受を有線通信又は無線通信により行うための通信回路７０が配設されている。通信回路７０は、制御装置５０と、有線通信のための通信ケーブルが接続可能な通信コネクタ部７１と、無線通信に用いるためのアンテナ部７２とに電気的に接続されている。
【００３２】
また、カメラボディ部２の内部に形成された図示しない収容室内には、該収容室内に着脱可能な記録媒体６０及び電源電池６１が配設されている。
【００３３】
記録媒体６０は、半導体の不揮発メモリや、小型のハードディスクドライブ等を具備して構成されている。記録媒体６０には、カメラ１により撮影された画像データ等が記録される。
【００３４】
電源電池６１は、一次電池又は二次電池であり、該電源電池６１の電力は、電力回路６２により電圧を変換され、カメラ１の各部を駆動する電力として分配される。
【００３５】
カメラボディ部２の外装表面に配設された上述したモニタ１２は、モニタ駆動回路６３に電気的に接続されている。モニタ駆動回路６３は、制御装置５０から出力される画像信号に基づいてモニタ１２を制御する装置である。モニタ１２は、該モニタ駆動回路６３からの信号に応じた画像を表示する。
【００３６】
上述したシャッタスイッチ２１等からなる入力装置２０は、制御装置５０に電気的に接続されており、入力装置２０を介して入力された操作者からの指示に基づいて、制御装置５０は、カメラ１の動作を制御する。
【００３７】
また、カメラボディ部２の底面部には、後述する外付け用モニタ装置部１００との電気的な接続を行うための第１の接続端子部である外部装置接続端子部６５が設けられている。外部装置接続端子部６５は、その表面に、カメラボディ部２内部の各回路と電気的に接続された複数の接点部が配列されて構成されている。
【００３８】
次に、上述した構成を有するカメラボディ部２の底面に固定される外付け用モニタ装置部１００の詳細な構成について説明する。
【００３９】
外付け用モニタ装置部１００は、図２に示すように、雄ネジ部１０６によりカメラのボディ部２の底面に固定される基台部１０１と、該基台部１０１に対して移動可能に配設された外部モニタ１１０とを具備して構成される。
【００４０】
基台部１０１は、カメラボディ部２の底面に設けられた外部装置接続端子部６５に接触し、外付け用モニタ装置部１００とカメラボディ部２とを電気的に接続するための第２の接続端子部である接続端子部１０５と、その内部に一次電池又は二次電池からなる電源電池１０３を収容可能な電源電池室１０２と、カメラボディ部２に配設された入力装置２０の一部と同等の機能を有する入力装置１２０と、を具備して構成されている。
【００４１】
接続端子部１０５は、外付け用モニタ装置部１００がカメラボディ部２に固定された状態において、カメラボディ部２の底面に設けられた外部装置接続端子部６５の接点部と接触するように配設された複数の端子を具備して構成されている。この接続端子部１０５及び外部接続端子部６５を介して、外付け用モニタ装置部１００とカメラボディ部２とが電気的に接続される。
【００４２】
基台部１０１の電源電池室１０２に収容された電源電池１０３は、接続端子部１０５及び外部装置接続端子部６５を介して、カメラボディ部２の電力回路６２に電気的に接続され、カメラボディ部２の各回路に電力を供給する。すなわち、電源電池１０３は、カメラ１の増設用電源又は外部電源として動作する。
【００４３】
なお、電源電池１０３の電力のカメラボディ部２への供給は、接続端子部１０５及び外部装置接続端子部６５を介さずに非接触給電により行われるものであってもよい。このような構成によれば、カメラ１の防水性を向上させることができる。
【００４４】
また、入力装置１２０は、シャッタスイッチ１２１、ダイヤルスイッチ１２２、プッシュスイッチ１２３及びレバースイッチ１２４等を具備して構成されている。入力装置１２０は、接続端子部１０５及び外部装置接続端子部６５を介して、カメラボディ部２の制御装置５０に電気的に接続される。例えば、シャッタスイッチ１２１は、外付け用モニタ装置部１００がカメラボディ部２に固定された状態において、カメラボディ部２に配設されたシャッタスイッチ２１と同等の機能を有する。
【００４５】
また、基台部１０１は、操作者が把持しやすいグリップ形状を有する。このように構成された基台部１０１は、カメラボディ部２に電力を供給すると共に、操作者が該基台部１０１を把持することにより、カメラ１を正立状態（横位置）に構える場合と同じ姿勢において縦位置撮影を行うことができるようにする、一般にバッテリホルダ、縦位置グリップ等と称される部材と同等の機能を有する。
【００４６】
以上のような構成を有する基台部１０１の背面上には、丁番部１１２を介して外部モニタ１１０が回動可能に配設されている。
【００４７】
丁番部１１２は、外付け用モニタ装置部１００がカメラボディ部２に固定された状態において、カメラボディ部２の底面及び背面と略平行となる軸周りに回動可能に外部モニタ１１０を支持する構成を有する。丁番部１１２は、摩擦力により外部モニタ１１０位置を所定の位置に固定可能な、いわゆるフリーストップタイプである。
【００４８】
外部モニタ１１０は、画像を表示面１１１に表示して出力する装置であり、本実施形態では、カラー表示可能な液晶表示パネル及びバックライト装置を具備してなる。外部モニタ１１０の表示面１１１は、カメラボディ部２に設けられたモニタ１２の表示面の外形よりも大きく、かつ高精細に構成されている。
【００４９】
なお、外部モニタ１１０は、有機エレクトロルミネッセンス表示装置や電気泳動表示装置等の他の形式の画像表示装置を具備して構成されてもよい。
【００５０】
外部モニタ１１０は、表示面１１１に対向する方向から見て略矩形上の外形を有し、その下側の辺となる箇所において、丁番部１１２に固定されている。
【００５１】
また、外部モニタ１１０は、接続端子部１０５及び外部装置接続端子部６５を介して、カメラボディ部２の制御装置５０に電気的に接続される。すなわち、カメラボディ部２のモニタ１２と同様に、外部モニタ１１０には、撮影条件、ライブビュー表示又は再生画像等の制御装置５０からの指示に基づく画像が表示される。
【００５２】
なお、外部モニタ１１０は、複数の回動軸を有する丁番部により支持され、表示面１１１が上方向又は左右方にも向けられる構成であってもよい。
【００５３】
以上に説明した本実施形態のカメラ１においては、カメラボディ部２の外形の大きさ及びカメラボディ部２に内蔵される電源電池６１の容量に関わらず、より大型の表示面１１１を有するモニタを装備することが可能である。
【００５４】
また、外付け用モニタ装置部１００には電源電池１０３が内蔵されていることから、外部モニタ１１０の表示面１１１をカメラボディ部２にモニタ１２よりも大型であり、高輝度かつ高精細なものとしても、カメラ１の動作時間を、カメラボディ部２に内蔵された電源電池６１のみにより駆動する場合に比して延長することができる。
【００５５】
すなわち、本実施形態によれば、モニタ装置の視認性を向上させつつ、カメラの動作時間を延ばすことが可能な外付け用モニタ装置及びカメラのシステムを提供することが可能である。
【００５６】
また、本実施形態のカメラのシステムにおいては、大型の外部モニタ１１０を備える外付け用モニタ装置部１００がカメラボディ部２に対して着脱可能であることから、カメラボディ部２に設けられたモニタ１２を小さくし、カメラボディ部２を小型化することができる。また、モニタ１２を小さくすることにより消費電力を抑えることで、電源電池６１も小型化でき、カメラボディ部２をより小型軽量化することができる。
【００５７】
操作者は、撮影時においてカメラ１の携帯性を重視する場合には、外付け用モニタ装置部１００を外した状態でカメラ１を使用することができ、また撮影時においてピント合わせ等のモニタの視認性を重視する場合には、外付け用モニタ装置部１００を装着した状態でカメラ１を使用することができる。すなわち、本実施形態によれば、カメラのシステムとしての利便性が大いに向上する。
【００５８】
なお、外部モニタ１１０の表示面１１１上には、可視光線を透過するタッチパネルが配設されてもよい。このような構成によれば、操作者は大型の表示面１１１に表示される画像に触れることでカメラ１を操作することが可能となり、容易かつ多彩な操作性を実現することができる。
【００５９】
（第２の実施形態）
以下、本発明の第２の実施形態について、図４及び図５を参照して説明する。図４は、第２の実施形態のカメラのブロック図である。図５は、第２の実施形態のカメラの斜視図である。
【００６０】
第２の実施形態は、上述した第１の実施形態に対して外付け用モニタ装置部１００の構成のみが異なる。よって、以下ではこの相違点のみを説明するものとし、また、第１の実施形態と同様の構成要素については同一の符号を付し、その説明を適宜に省略するものとする。
【００６１】
本実施形態の外付け用モニタ装置部２００は、第１の実施形態の外付け用モニタ装置部１００の構成に加えて、さらに電力回路１０４及び通信回路１４０を具備して構成されている。
【００６２】
電力回路１０４は、外付け用モニタ装置部２００に収容された電源電池１０３の電力を、外付け用モニタ装置部２００内の各回路に供給する装置である。外付け用モニタ装置部２００がカメラボディ部２に装着されている場合には、第１の実施形態と同様に電源電池１０３の電力は、接続端子部１０５及び外部装置接続端子部６５を介してカメラボディ部２に供給される。
【００６３】
一方、外付け用モニタ装置部２００がカメラボディ部２に装着されている場合には、電源電池１０３の電力は、該電力回路１０４を経由して、外付け用モニタ装置部２００内の各回路に供給される。
【００６４】
このように、外付け用モニタ装置部２００は、電源電池１０３及び電力回路１０４を具備することにより、図５に示すようにカメラボディ部２とは分離された状態においても動作することが可能である。
【００６５】
通信回路１４０は、カメラボディ部２又は外部機器との情報の授受を有線通信又は無線通信により行うための装置であり、有線通信のための通信ケーブルが接続可能な通信コネクタ部１４１と、無線通信に用いるためのアンテナ部１４２に電気的に接続されている。
【００６６】
外付け用モニタ装置部２００は、カメラボディ部２の通信コネクタ部７１と、外付け用モニタ装置部２００の通信コネクタ部１４１とに接続される通信ケーブル１３３を介して、カメラボディ部２との間で情報の送受が可能である。
【００６７】
なお、カメラボディ部２と外付け用モニタ装置部２００とが通信ケーブル１３３により接続されている場合には、該通信ケーブル１３３を介して電源電池１０３の電力がカメラボディ部２にも供給される形態であってもよい。
【００６８】
また、外付け用モニタ装置部２００は、カメラボディ部２の通信回路７０との間で無線による情報の送受も可能である。
【００６９】
以上のように本実施形態のカメラのシステムにおいては、カメラボディ部２と外付け用モニタ装置部２００とが分離された状態においても、双方の間において有線又は無線の通信によって情報の送受が可能に構成されている。
【００７０】
このため、カメラボディ部２と外付け用モニタ装置部２００とが分離された状態においても、外部モニタ１１０の表示面１１１に撮影条件、ライブビュー表示又は再生画像等の制御装置５０からの指示に基づく画像を表示することが可能であり、かつ、入力装置１２０からの指示信号をカメラボディ部２へ入力することができる。
【００７１】
すなわち本実施形態によれば、例えばカメラボディ部２とは離れた場所から外部モニタ１１０に表示されるライブビュー表示を観察し撮影タイミングを指示するといった、カメラボディ部２を遠隔で操作することが可能となる。
【００７２】
なお、外付け用モニタ装置部２００内に記録媒体を内蔵し、カメラボディ部２で撮影された画像等のデータを通信回路１４０により受信し、該記録媒体に記録可能に構成してもよい。このような構成によれば、遠隔地に固定されたカメラボディ部２に触れることなく、記録媒体６０の記録容量を超えるデータ量の撮影を連続して行うことができる。
【００７３】
また、このような構成によれば、外付け用モニタ装置部２００を単体で動作させて、外部モニタ１１０に画像を再生して表示させる、画像ビューアとして使用することもできる。
【００７４】
（第３の実施形態）
以下、本発明の第３の実施形態について、図６から図８を参照して説明する。図６は、第３の実施形態のカメラの斜視図である。図７は、カメラボディ部と外付け用モニタ装置部とを分離した状態を示す斜視図である。図８は、第３の実施形態のカメラのブロック図である。
【００７５】
第３の実施形態は、上述した第１の実施形態に対して外付け用モニタ装置部３００の構成が異なる。よって、以下ではこの相違点のみを説明するものとし、また、第１の実施形態と同様の構成要素については同一の符号を付し、その説明を適宜に省略するものとする。
【００７６】
本実施形態の外付け用モニタ装置部３００は、図７に示すように、第１の実施形態の外付け用モニタ装置部１００の構成に比して、外部モニタ１１０を丁番部１１２を介して支持する基台部３０１に対して、入力装置１２０及び電源電池室４０２を具備して構成されるバッテリホルダ部４００が分離可能に構成されている点が異なる。
【００７７】
外付け用モニタ装置部３００は、基台部３０１の上面に設けられた雄ネジ部３０６が、カメラボディ部２の底面に設けられた三脚用ネジ穴に螺合することにより、カメラボディ部２の底面に固定される。
【００７８】
基台部３０１の上面には、カメラボディ部２の底面に設けられた外部装置接続端子部６５に接触し外付け用モニタ装置部３００とカメラボディ部２とを電気的に接続するための接続端子部３０５が配設されている。
【００７９】
また、基台部３０１の背面側には、第１の実施形態と同様に、丁番部１１２を介して外部モニタ１１０が回動可能に配設されている。
【００８０】
基台部３０１内には、テレビチューナ３０４が配設されており、テレビ放送波を受信し、テレビ放送を外部モニタ１１０に表示することが可能である。
【００８１】
バッテリホルダ部４００は、上面に雄ネジ部４０６を有し、該雄ネジ部４０６が、基台部３０１の底面に設けられた三脚用ネジ穴に螺合することにより、外付け用モニタ装置部３００の底面に固定される。
【００８２】
また、バッテリホルダ部４００の上面には、基台部３０１の底面に設けられた接続端子部３０７に接触し外付け用モニタ装置部３００とバッテリホルダ部４００とを電気的に接続するための接続端子部４０６が配設されている。
【００８３】
図８に示すように、外付け用モニタ装置部３００のモニタ駆動回路１１３は、接続端子部４０６及び外部装置接続端子部６５を介して、カメラボディ部２の制御装置５０に電気的に接続される。
【００８４】
また、バッテリホルダ部４００の電源電池室４０２に収容された電源電池１０３は、基台部３０１内の配線を介して、カメラボディ部２の電源回路６２に電気的に接続される。また、バッテリホルダ部４００の入力装置１２０は、基台部３０１内の配線を介して、カメラボディ部２の制御装置５０に電気的に接続される。
【００８５】
なお、第２の実施形態と同様に、外付け用モニタ装置部３００内に電源回路を配設し、電源電池１０３の電力は、該電源回路を介して外付け用モニタ装置部３００内の各回路に供給される構成であってもよい。
【００８６】
上述した構成を有する本実施形態のカメラのシステムによれば、外付け用モニタ装置部３００とバッテリホルダ部４００とが分離可能であることから、大型の外部モニタ１１０が不要である場合には、外付け用モニタ装置部３００を取り外し、バッテリホルダ部４００を直接カメラボディ部２の底面に固定して使用するといった、柔軟な運用が可能となる。
【００８７】
なお、本実施形態では、カメラのシステムに機能を追加するための拡張用回路装置であるテレビチューナ３０４を基台部３０１の内部に配設する構成としたが、このような拡張用回路装置は、基台部３０１とは別の部材として構成される形態であってもよい。
【００８８】
例えば、図９に示すように、テレビチューナ３０４を具備した拡張ユニット３１０を、基台部３０１とバッテリホルダ部４００との間に挿入可能とした構成であってもよい。このような構成によれば、必要な場合にのみテレビチューナ３０４のような拡張用回路装置をカメラ１に装着することができる。
【００８９】
なお、拡張用回路装置としては、テレビチューナ３０４以外に、ＧＰＳユニットのような測位機能を有する装置や、外部機器との通信を可能とする通信装置、又は大容量の記録装置等が適用され得る。
【００９０】
上述した実施形態に基づいて、以下の構成を提案することができる。すなわち、本願発明は以下の構成で表現できる。  
（付記１）  
カメラ底面に装着される取付部と、  
上記取付部に対し、相対的に回動可能なモニタと、  
上記取付部と、上記モニタとを連結し、上記相対回動を可能にする丁番部と、  
を有することを特徴とした外付け用モニタ装置。
【００９１】
（付記２）  
上記モニタ装置は、上記カメラに取り付けられるバッテリホルダとカメラ底面との間に挟まれ取り付けられることを特徴とする付記１記載の外付け用モニタ装置。
【００９２】
（付記３）  
外付け用モニタ装置と、該モニタ装置を取り付け可能なカメラのシステムであって、  
カメラの底面に装着される取付部と上記取付部に対し相対回動可能なモニタと上記取付部と上記モニタとを連結し上記相対回動を可能にする丁番部とを有する上記モニタ装置と、上記モニタ装置が底面に取り付けられる上記カメラとからなることを特徴としたカメラのシステム。
【００９３】
（付記４）  
上記カメラには外部に画像信号を出力する画像出力接点を有し、  
上記モニタ装置には画像信号を受け取る画像入力接点が設けられていることを特徴とする付記３記載のカメラのシステム。
【００９４】
（付記５）  
上記カメラは外部電源装置を取り付け可能であり、上記モニタ装置は上記カメラと該外部電源装置との間に配置可能であることを特徴とする付記３記載のカメラのシステム。
【００９５】
（付記６）  
上記外部電源装置は画像信号を受け取る画像入力接点が設けられ、該画像入力接点に入力された画像信号を上記モニタに出力することを特徴とした付記５記載のカメラのシステム。
【００９６】
なお、本発明は、上述した実施形態に限られるものではなく、特許請求の範囲及び明細書全体から読み取れる発明の要旨或いは思想に反しない範囲で適宜変更可能であり、そのような変更を伴う外付け用モニタ装置及びカメラのシステムもまた本発明の技術的範囲に含まれるものである。
【００９７】
例えば、カメラは、上述の実施形態で説明した形態に限らず、デジタルビデオカメラ等であってもよいことは言うまでもない。
【図面の簡単な説明】
【００９８】
【図１】カメラの主要な構成を断面により示す図である。
【図２】カメラボディ部と外付け用モニタ装置部とを分離した状態を示す斜視図である。
【図３】カメラのシステムの概略的な構成を示すブロック図である。
【図４】第２の実施形態のカメラのブロック図である。
【図５】第２の実施形態のカメラの斜視図である。
【図６】第３の実施形態のカメラの斜視図である。
【図７】カメラボディ部と外付け用モニタ装置部とを分離した状態を示す斜視図である。
【図８】第３の実施形態のカメラのブロック図である。
【図９】第３の実施形態の変形例を示す斜視図である。
【符号の説明】
【００９９】
１    カメラ、
２    カメラボディ部、
３    撮像レンズ、
１１    ファインダ、
１２    モニタ、
２０    入力装置、
１００    外付け用モニタ装置部
１０１    基台部、
１０２    電源電池室、
１０３    電源電池、
１０５    接続端子部、
１０６    雄ネジ部、
１１０    外部モニタ、
１１１    表示面、
１１２    丁番部。
【図１】
2010026090.tif 000003
【図２】
2010026090.tif 000004
【図３】
2010026090.tif 000005
【図４】
2010026090.tif 000006
【図５】
2010026090.tif 000007
【図６】
2010026090.tif 000008
【図７】
2010026090.tif 000009
【図８】
2010026090.tif 000010
【図９】
2010026090.tif 000011